(57)【要約】【課題】切除可能領域を切除した場合に、その切断面にバリが発生することを適切に抑制することが可能な温水ユニットを提供する。【解決手段】温水生成機能または温水貯留機能を有する温水関連機器を内部に収容する外装ケース１と、この外装ケース１のケース壁部２に断続的に設けられた複数のスリット２３を介して、ケース壁部２の他の領域であるベース領域２０とは区画された状態に設けられ、かつ複数のスリット２３の相互間に位置する接続部２４を介してベース領域２０に繋がっている切除可能領域２１と、を備えている、温水ユニットＵであって、接続部２４は、ベース領域２０側の第１の端部２４ａが、切除可能領域２１側の第２の端部２４ｂよりも幅が狭い構成とされている。【選択図】  図５
2019207070.tif 000002
【特許請求の範囲】
【請求項１】
温水生成機能または温水貯留機能を有する温水関連機器を内部に収容する外装ケースと、
この外装ケースのいずれかのケース壁部に断続的に設けられた複数のスリットを介して、前記ケース壁部の他の領域であるベース領域とは区画された状態に設けられ、かつ前記複数のスリットの相互間に位置する接続部を介して前記ベース領域に繋がっている切除可能領域と、
を備えている、温水ユニットであって、
前記接続部は、前記ベース領域側の第１の端部が、前記切除可能領域側の第２の端部よりも幅が狭い構成とされていることを特徴とする、温水ユニット。
【請求項２】
請求項１に記載の温水ユニットであって、
前記接続部の両側縁部または一側縁部は、前記第１および第２の端部の対向方向に対して傾斜しており、前記接続部の幅は、前記第２の端部から前記第１の端部に向けて進むにしたがって漸次減少する構成とされている、温水ユニット。
【請求項３】
請求項１または２に記載の温水ユニットであって、
前記接続部のうち、前記第１の端部には、この第１の端部の幅を部分的に狭くする切欠き凹部が形成されている、温水ユニット。
【請求項４】
請求項３に記載の温水ユニットであって、
前記切欠き凹部は、前記第１の端部に加えて、前記ベース領域の一部をも切欠くように設けられている、温水ユニット。
【請求項５】
請求項１ないし４のいずれかに記載の温水ユニットであって、
前記外装ケースは、配管部材または電気配線部材を通すための開口部、およびこの開口部を塞ぐためのカバー部材を備えており、
このカバー部材が、前記切除可能領域および前記ベース領域を備えている前記ケース壁部である、温水ユニット。
【発明の詳細な説明】
【技術分野】
【０００１】
本発明は、温水関連機器が外装ケース内に収容されてユニット化された給湯器ユニットなどの温水ユニットに関する。
【背景技術】
【０００２】
温水ユニットの一例として、特許文献１に記載のものがある。
同文献に記載の温水ユニットにおいては、給湯器などの温水関連機器を内部に収容した外装ケースに、配管引き出し用の開口部が設けられており、かつこの開口部は、ケース壁部としてのカバー部材によって塞がれている。ただし、前記カバー部材には、複数のスリットが断続的に並んだ配列で設けられており、これら複数のスリットよりも下側の領域は、切除可能領域とされている。この切除可能領域は、複数のスリットの相互間に位置する接続部を介して複数のスリットよりも上側のベース領域に繋がっており、前記接続部を切断することによって、前記ベース領域から切除可能である。この切除可能領域を切除することにより、前記開口部の一部を開口させることができ、この部分を介して湯水流通用の配管部材を外装ケースの内側から外側に引き出すことが可能である。
このような構成によれば、前記開口部の全体を塞いだ状態と、その一部を開口させた状態とのいずれかを容易に選択することが可能である。したがって、いわゆるノックダウン方式（現地組み立て方式）で温水ユニットの設置作業を行なう場合に、融通性に優れたものとすることが可能である。
【０００３】
しかしながら、前記従来技術においては、次に述べるように、未だ改善すべき余地があった。
【０００４】
すなわち、前記カバー部材から切除可能領域を切除する場合には、ニッパなどの切断工具を用いて、接続部を切断する。このため、切除可能領域をカバー部材のベース領域から切除した状態においては、接続部の切断面が、ベース領域の縁部の端面に生じることとなる。この切断面には、バリが生じ易い。このため、前記切断面に温水ユニットの設置作業者やユーザの手が触れた場合に、怪我をする虞がある。
【先行技術文献】
【特許文献】
【０００５】
【特許文献１】特開昭５８−６６７４７号公報
【発明の概要】
【発明が解決しようとする課題】
【０００６】
本発明は、前記したような事情のもとで考え出されたものであり、切除可能領域を切除した場合に、その切断面にバリが発生することを適切に抑制することが可能な温水ユニットを提供することを、その課題としている。
【課題を解決するための手段】
【０００７】
上記の課題を解決するため、本発明では、次の技術的手段を講じている。
【０００８】
本発明により提供される温水ユニットは、温水生成機能または温水貯留機能を有する温水関連機器を内部に収容する外装ケースと、この外装ケースのいずれかのケース壁部に断続的に設けられた複数のスリットを介して、前記ケース壁部の他の領域であるベース領域とは区画された状態に設けられ、かつ前記複数のスリットの相互間に位置する接続部を介して前記ベース領域に繋がっている切除可能領域と、を備えている、温水ユニットであっ
て、前記接続部は、前記ベース領域側の第１の端部が、前記切除可能領域側の第２の端部よりも幅が狭い構成とされていることを特徴としている。
【０００９】
このような構成によれば、次のような効果が得られる。
すなわち、ケース壁部の切除可能領域とベース領域とを繋ぐ接続部を、切断工具を用いて切断する場合、この接続部のうち、ベース領域側の第１の端部において切断すると、その切断面の面積を小さくすることができる。このため、切断面に大きなバリを生じ難くすることが可能である。また、接続部の第１の端部の幅が狭くされていれば、この部分を切断し易くなるため、このことによっても切断面に大きなバリを生じ難くする効果が期待できる。その結果、本発明によれば、ベース領域に形成される切断面のバリに起因して怪我を負うことを適切に抑制することが可能となる。
一方、接続部の第２の端部の幅は、第１の端部の幅よりも広いために、接続部を、その全長にわたって幅が狭くされた構成と比較すると、接続部の強度を高くすることができる。したがって、ベース領域から切除可能領域が切除されていない状態においては、これらベース領域と切除可能領域とを強固に繋げておくことも可能である。
【００１０】
本発明において、好ましくは、前記接続部の両側縁部または一側縁部は、前記第１および第２の端部の対向方向に対して傾斜しており、前記接続部の幅は、前記第２の端部から前記第１の端部に向けて進むにしたがって漸次減少する構成とされている。
【００１１】
このような構成によれば、ニッパなどの切断工具を用いて接続部を切断する場合において、切断工具の刃先が接続部の傾斜した側縁部に当接した際に、この側縁部が切断工具の刃先を接続部の第１の端部側にガイドする作用が期待できる。したがって、接続部の第１の端部を切断することが円滑かつ自然に実行され易くなり、切断面に大きなバリが生じることを抑制する上で、より好ましいものとなる。
【００１２】
本発明において、好ましくは、前記接続部のうち、前記第１の端部には、この第１の端部の幅を部分的に狭くする切欠き凹部が形成されている。
【００１３】
このような構成によれば、前記切欠き凹部の位置で接続部を切断することにより、その切断面を小さくし、バリを生じ難くすることが可能となる。
【００１４】
本発明において、好ましくは、前記切欠き凹部は、前記第１の端部に加えて、前記ベース領域の一部をも切欠くように設けられている。
【００１５】
このような構成によれば、前記切欠き凹部の位置で接続部を切断すると、ベース領域に形成される切断面の横に切欠き凹部の一部が存在することとなる。このことにより、ベース領域の切断面にバリをより生じ難くすることができる。
【００１６】
本発明において、好ましくは、前記外装ケースは、配管部材または電気配線部材を通すための開口部、およびこの開口部を塞ぐためのカバー部材を備えており、このカバー部材が、前記切除可能領域および前記ベース領域を備えている前記ケース壁部である。
【００１７】
このような構成によれば、配管部材または電気配線部材を外装ケースの内側から外側に引き出すための開口部を、カバー部材によって塞いだ状態と、開口させた状態とのいずれかを選択的に設定することが可能となる。
【００１８】
本発明のその他の特徴および利点は、添付図面を参照して以下に行なう発明の実施の形態の説明から、より明らかになるであろう。
【図面の簡単な説明】
【００１９】
【図１】（ａ）は、本発明に係る温水ユニットの一例を示す背面斜視図であり、（ｂ）は、その正面斜視図である。
【図２】図１（ａ）のII−II断面図である。
【図３】図１に示す温水ユニットの仕様変更を行なった状態の一例を示す背面斜視図である。
【図４】図３のIV−IV断面図である。
【図５】（ａ）は、図１に示す温水ユニットの外装ケースのカバー部材の正面図であり、（ｂ）は、（ａ）のVb−Vb断面図であり、（ｃ）は、（ａ）のVc部の拡大正面図である。
【図６】（ａ）は、図５に示すカバー部材の切除可能領域を切除した状態を示す正面図である。
【図７】本発明の他の例を示す背面斜視図である。
【図８】（ａ）は、本発明の他の例を示す要部正面図であり、（ｂ）は、（ａ）に示す構成の接続部を切断した状態の要部正面図である。
【図９】（ａ）および（ｂ）は、本発明の他の例を示す要部正面図である。
【図１０】（ａ）〜（ｃ）は、本発明の他の例を示す要部正面図である。
【図１１】（ａ）は、本発明の他の例を示す斜視図であり、（ｂ）は、（ａ）のXIb−XIb断面図であり、（ｃ）は、（ａ）の要部拡大平面図である。
【図１２】図１１に示すカバー部材の切除可能領域を切除した状態を示す断面図である。
【図１３】本発明の他の例を示す正面図である。
【発明を実施するための形態】
【００２０】
以下、本発明の好ましい実施の形態について、図面を参照して具体的に説明する。
【００２１】
図１に示す温水ユニットＵは、カバー部材２を含む外装ケース１を備えており、図２によく表れているように、外装ケース１内には、貯湯タンク３、補助熱源機４、および制御部５が収容されている。
【００２２】
貯湯タンク３および補助熱源機４は、本発明でいう温水関連機器の具体例に相当する。この温水ユニットＵは、たとえばヒートポンプなどの主熱源機（不図示）と組み合わせて用いられる貯湯式給湯装置に相当し、貯湯タンク３は、主熱源機によって加熱された湯水を貯留するための機器である。補助熱源機４は、貯湯タンク３から出湯する湯水温度が所望の給湯目標温度に満たないなどの場合に、その湯水を加熱するための機器であり、たとえばバーナ４０、バーナ４０によって発生された燃焼ガスからの熱回収により湯水加熱を行なうための熱交換器４１，４２、および熱回収後の燃焼ガスを排気口４３に導いて外装ケース１の外部に排出するための排気集合筒４４などを備えている。制御部５は、マイクロコンピュータなどを用いて構成されており、温水ユニットＵの各部の動作制御やデータ処理制御を実行する。
【００２３】
外装ケース１は、たとえば表面に塗装が施されたカラー鋼板などを用いて形成されたパネル状の複数のケース壁部１０（１０ａ〜１０ｆ）を備えた内部空洞状であり、縦長な略直方体の前側下部を窪ませた外観形態である。ただし、外装ケース１の全体形状などはこれに限定されない。複数のケース壁部１０としては、具体的には、排気口４３が設けられた第１の前壁部１０ａ、その下側後方に位置する第２の前壁部１０ｂ、これら第１および第２の前壁部１０ａ，１０ｂに対向する後壁部１０ｃ、左右両側壁部１０ｄ、上壁部１０ｅ、ならびに中間底壁部１０ｆがある。後壁部１０ｃには、後述するように、カバー部材２がビス止めなどの手段を用いて取付けられている。このカバー部材２も、ケース壁部の概念に含まれる。
図面において、符号１９は、外装ケース１の前側フレーム下部を示し、符号８８はベース部材を示している。
【００２４】
この温水ユニットＵにおいては、図２に示すように、湯水流通用の複数の配管部材６０を、第２の前壁部１０ｂの前方に引き出すことが可能とされている（図１（ｂ）では省略）。複数の配管部材６０は、たとえば貯湯タンク３への入水用配管部、補助熱源機４からの出湯用配管部、および主熱源機との接続を図るための配管部材などである。ただし、温水ユニットＵの後壁部１０ｃの下部には、配管引き出し用の開口部１１が設けられ、かつこの開口部１１がカバー部材２によって覆われている。このことにより、後述するように、複数の配管部材６０の全部または一部を開口部１１から外装ケース１の後方に引き出すことが可能とされている。
【００２５】
カバー部材２は、外装ケース１の他のケース壁部１０と同様に、たとえばカラー鋼板などの金属板を用いて構成されている。
より具体的には、図５によく表れているように、カバー部材２には、細長状の複数のスリット２３が断続的な配列で設けられている。これら複数のスリット２３は、たとえば正面視略Π字状である。カバー部材２のうち、複数のスリット２３によって囲まれた領域は、切除可能領域２１であり、これ以外の領域は、ベース領域２０である。ベース領域２０には、ビス止め用の孔部２８が設けられている。
【００２６】
カバー部材２のうち、複数のスリット２３の各相互間領域は、接続部２４であり、複数の接続部２４を介して切除可能領域２１とベース領域２０とは繋がっている。図５（ｃ）によく表れているように、各接続部２４は、正面視台形状であり、ベース領域２０側の第１の端部２４ａの幅Ｌａは、切除可能領域２１側の第２の端部２４ｂの幅Ｌｂよりも小さくされている。接続部２４の両側縁部２４ｃは、第１および第２の端部２４ａ，２４ｂの対向方向に対し、適当な角度αだけ傾斜している。
このカバー部材２においては、複数の接続部２４のそれぞれをニッパなどの切断工具を用いて切断することにより、図６に示すように、切除可能領域２１をベース領域２０から容易に切除することが可能である。
【００２７】
次に、前記した温水ユニットＵの作用について説明する。
【００２８】
まず、温水ユニットＵを設置する場合、種々の事情により、図２に示した複数の配管部材６０の施工態様とは異なり、複数の配管部材６０の全部または一部を外装ケース１の後方に引き出したい場合がある。この場合には、図６を参照して説明したように、カバー部材２の各接続部２４を切断し、カバー部材２を切除可能領域２１が切除されたカバー部材２’（ベース領域２０のみの状態）に設定する。このカバー部材２’を、図３および図４に示すように、外装ケース１の後壁部１０ｃに取付けることにより、開口部１１を適度な開口面積で開口させることが可能となり、この開口部１１を介して複数の配管部材６０の全部または一部を外装ケース１の後方に引き出すことができる。したがって、配管施工作業の融通性に優れたものとなる。
【００２９】
カバー部材２の接続部２４を、切断工具で切断する場合、たとえば図５（ｃ）の仮想線Ｃを切断線とするように、ベース領域２０側の第１の端部２４ａを切断する。好ましくは、できる限りベース領域２０に近い位置を切断する。このことにより、図６に示すように、ベース領域２０に形成される切断面２５は、寸法Ｌａまたはこれに近い幅狭なものとなり、小サイズとなる。ここで、切断面２５が小サイズであれば、この切断面２５に発生するバリのサイズも小さくすることが可能となり、切断面２５に手が触れた際に怪我を生じ難くすることが可能である。
【００３０】
接続部２４の側縁部２４ｃは、傾斜しているため、接続部２４を切断する際には、ベース領域２０側の第１の端部２４ａを切断し易くする効果も期待できる。すなわち、接続部２４の切断作業時において、切断工具の刃先が、たとえば図５（ｃ）の矢印Ｎａで示すように、接続部２４の側縁部２４ｃに当接した場合、側縁部２４ｃが傾斜していることに起因し、切断工具の刃先は、矢印Ｎｂで示すように、接続部２４の第１の端部２４ａ側に滑り、ガイドされる。その結果、作業者は、接続部２４の第１の端部２４ａをごく自然に切断することとなる。このようなことから、第２の端部２４ｂ側を不当に切断して大きなバリが生じることは、より適切に解消される。なお、本実施形態では、接続部２４の両側縁部２４ｃを傾斜状に形成しているが、いずれか一方の側縁部２４ｃのみを傾斜状とし、かつ他方を非傾斜状に形成した構成とすることもできる。
【００３１】
接続部２４の第２の端部２４ｂの幅は比較的大きくされているため、接続部２４自体の強度を確保することが可能である。本実施形態とは異なり、仮に、接続部２４の全体が、寸法Ｌａの小幅状であると、接続部２４全体の強度が低くなる虞があるが、本実施形態によれば、そのような虞を回避することが可能である。なお、接続部２４の全体を寸法Ｌｂの大きな幅にした場合には、接続部２４の切断面２５が大きなサイズとなり、大きなバリが発生し易くなるが、本実施形態によれば、そのような不具合が解消されることは、既に述べたとおりである。
【００３２】
図７〜図１３は、本発明の他の実施形態を示している。これらの図において、前記実施形態と同一または類似の要素には、前記実施形態と同一の符号を付すこととし、重複説明は省略する。
【００３３】
図７に示す温水ユニットＵａにおいては、外装ケース１の後壁部１０ｃに、複数のスリット２３および接続部２４が形成され、切除可能領域２１Ｂが直接設けられている。前記実施形態のカバー部材２は、用いられておらず、後壁部１０ｃのうち、切除可能領域２１Ｂ以外の領域が、ベース領域２０Ｂである。
【００３４】
本実施形態においては、切除可能領域２１Ｂが後壁部１０ｃのベース領域２０Ｂから切除されていない場合には、後壁部１０ｃに開口部が形成されていない状態にある。これに対し、切除可能領域２１Ｂを切除すると、その切除領域が開口部となる。したがって、この開口部に、配管部材６０を通すといったことが可能となる。
本実施形態から理解されるように、切除可能領域は、外装ケースに付属して取付けられるカバー部材（ケース壁部）に設けることに代えて、外装ケースの固定状のケース壁部に直接設けた構成とすることもできる。
【００３５】
図８（ａ）に示す実施形態においては、接続部２４の両側縁部２４ｃは、第１およひ第２の端部２４ａ，２４ｂの対向方向に対して非傾斜状とされている。ただし、第１の端部２４ａには、切欠き凹部２７が形成されており、このことによって第１の端部２４ａの幅Ｌａは、第２の端部２４ｂの幅Ｌｂよりも小さくされている。
【００３６】
本実施形態において、第１の端部２４ａを切断した場合には、図８（ｂ）に示すように、その切断面２５のサイズを小さくすることができ、前記実施形態と同様に、バリの発生を抑制することが可能である。また、接続部２４に切欠き凹部２７が形成されていれば、接続部２４を切欠き凹部２７の位置で切断することを作業者に促す効果も期待でき、第２の端部２４ｂ寄りの位置で切断される虞をなくし、または少なくすることも可能である。
本実施形態から理解されるように、本発明においては、接続部の第１の端部の幅を狭くするための手段として、第１の端部に切欠き凹部を設ける手段を採用することもできる。
【００３７】
図９（ａ）に示す実施形態においては、接続部２４の第１の端部２４ａに形成される切
欠き凹部２７の一側面２７ｂを傾斜状としている。このような構成によれば、切欠き凹部２７内に切断工具の刃先を円滑に進入させ易くなる効果が期待できる。
図９（ｂ）に示す実施形態においては、接続部２４の第１の端部２４ａの幅を狭くするための切欠き凹部２７が、ベース領域２０の一部をも切欠くように設けられている。このような構成によれば、第１の端部２４ａを切断した場合に、その切断面の両側が窪んだ形状となる。このことにより、切断面にバリをより生じ難くすることができる。
【００３８】
図１０（ａ），（ｂ）に示す実施形態においては、接続部２４の両側縁部２４ｃまたはそのいずれか一方が傾斜状に形成された上で、接続部２４には、図８および図９に示したのと同様な切欠き凹部２７が設けられている。このような構成によれば、接続部２４が第１の端部２４ａで切断されることを、より確実化し得るといった効果が得られる。
図１０（ｃ）に示す実施形態においては、接続部２４には切欠き凹部が形成されておらず、ベース領域２０のうち、第１の端部２４ａの両側に切欠き凹部２７ａが形成されている。本発明においては、このような構成を採用することも可能であり、切欠き凹部２７ａの存在により、接続部２４の切断面にバリが生じることをより防止する効果が期待できる。
【００３９】
図１１に示す実施形態においては、カバー部材２Ａが、ベース領域２０と切除可能領域２１との間に段差を生じた段押し状のプレート材として構成されており、ベース領域２０と切除可能領域２１とは、ベース領域２０からカバー部材２Ａの前方に突出するように屈曲した段差壁部２２を介して繋がっている。この段差壁部２２に、複数のスリット２３、および接続部２４が形成されている。
【００４０】
本実施形態においては、図１２に示すように、切除可能領域２１をベース領域２０から切除すべく接続部２４を切断した場合、その切断面２５は、ベース領域２０の一側面２０ｂ、またはこの一側面２０ｂから前方に突出する突出部２２ｃの先端に位置することとなる。したがって、作業者の手が切断面２５に触れ難くなり、手に怪我をする虞をより確実に防止することが可能となる。また、ベース領域２０の端面２０ａは、滑らかな面とすることが可能であり、この端面２０ａに手が触れた場合であっても、怪我を生じないようにすることができる。
このように、本発明においては、ベース領域２０と切除可能領域２１とに段差を生じさせた構成とすることもできる。
【００４１】
図１３に示す実施形態においては、複数のスリット２３および接続部２４が、カバー部材２Ｃの左右横幅方向の一端部から他端部にわたって略水平状に並んで設けられている。カバー部材２Ｃのうち、複数のスリット２３および接続部２４の上側領域の全体がベース領域２０であり、下側領域の全体が切除可能領域２１である。
本発明においては、複数のスリットおよび接続部の配列は、先に述べた正面視略Π字状に代えて、本実施形態のように、直線状としてもよく、その具体的な形状は限定されない。複数のスリットおよび接続部は、正面視円形状、矩形状、あるいはその他の形状のループ状とすることも可能である。
【００４２】
本発明は、上述した実施形態の内容に限定されない。本発明に係る温水ユニットの各部の具体的な構成は、本発明の意図する範囲内において種々に設計変更自在である。
【００４３】
複数のスリットは、ベース領域と切除可能領域とを区画するように断続的に設けられていればよく、その具体的な形状、サイズ、配列ピッチなどは限定されない。スリットは、一般的には細幅な孔部を意味するが、本発明においては、幅が比較的広い孔部も、スリットの概念に含まれる。
複数のスリットの相互間に形成される接続部は、ベース領域側の第１の端部の幅が、切
除可能領域側の第２の端部よりも幅が狭い形態とされていればよく、そのための構成としては、上述の実施形態で例示されたものとは異なる構成とすることも可能である。
【００４４】
上述の実施形態では、外装ケース１の後壁部１０ｃに取付けられるカバー部材２，２Ａ，２Ｃ、または後壁部１０ｃに、切除可能領域２１，２１Ｂが設けられているが、本発明はこれに限定されず、外装ケース１の他の壁部１０にも適用することが可能である。具体例を挙げると、たとえば外装ケース１の中間底壁部１０ｆに、複数のスリット２３および接続部２４を形成して切除可能領域を設けておき、この切除可能領域を切除した場合には、このことによって中間底壁部１０ｆに開口部が形成されるようにしてもよい。この場合、この開口部には、制御部５に接続された電気配線部材（ハーネス）を通すといったことが可能である。
本発明でいう外装ケースのケース壁部は、外装ケースの本体部を構成する壁部に限らず、外装ケースの本体部に付属して設けられる壁部（外装ケースのカバー部材など）も含む概念である。
【００４５】
本発明でいう温水関連機器とは、温水生成機能または温水貯留機能を有する機器を意味するが、その具体的な種類や数は問わない。温水関連機器には、貯湯タンクや瞬間式の給湯器などの他に、たとえばヒートホンプやコージェネレーションシステム機器なども該当する。したがって、本発明に係る温水ユニットは、たとえば貯湯タンクユニット、給湯器ユニット、ヒートポンプユニット、コージェネレーションシステムなどとして構成することができる。
【符号の説明】
【００４６】
Ｕ，Ｕａ  温水ユニット
１  外装ケース
１０ｃ  後壁部（ケース壁部）
１１  開口部
２，２Ａ，２Ｃ  カバー部材（ケース壁部）
２０  ベース領域
２１  切除可能領域
２３  スリット
２４  接続部
２４ａ，２４ｂ  第１および第２の端部（接続部の）
２４ｃ  側縁部（接続部の）
２５  切断面
３  貯湯タンク（温水関連機器）
４  補助熱源機（温水関連機器）
【図１】
2019207070.tif 000003
【図２】
2019207070.tif 000004
【図３】
2019207070.tif 000005
【図４】
2019207070.tif 000006
【図５】
2019207070.tif 000007
【図６】
2019207070.tif 000008
【図７】
2019207070.tif 000009
【図８】
2019207070.tif 000010
【図９】
2019207070.tif 000011
【図１０】
2019207070.tif 000012
【図１１】
2019207070.tif 000013
【図１２】
2019207070.tif 000014
【図１３】
2019207070.tif 000015